(57)【要約】【課題】  高温環境下などにおける相変化型の光記録媒体の記録品質改善を可能とする。【解決手段】  光ディスクの周囲温度を温度センサで検出する（ステップＳ３）。そして、１つ又は複数の短パルス群からなる記録パルス列を用いて相変化型の光ディスクに情報を記録する際に、この検出温度に応じて記録ストラテジを変えて（ステップＳ５、Ｓ６）、短パルス群を構成する短パルスのパルス振幅を制御する。【選択図】    図９
2005182847.tif 000002
【特許請求の範囲】
【請求項１】
１つ又は複数の短パルス群からなる記録パルス列を用いて相変化型の光情報記録媒体に情報を記録する光情報記録装置において、
所定位置の温度を温度センサで検出する検出手段と、
前記検出温度に応じて前記短パルス群を構成する短パルスのパルス振幅を制御するパルス振幅制御手段と、
を備えていることを特徴とする光情報記録装置。
【請求項２】
前記パルス振幅制御手段は、室温時に最適化した短パルス群のライトパワーに対するイレースパワーの比率εを前記検出温度に応じて制御する、ことを特徴とする請求項１に記載の光情報記録装置。
【請求項３】
前記パルス振幅制御手段は、前記検出温度が前記比率εの制御を開始する予め設定されている温度Ｔｔｈより大きくなったときに、前記比率εの値を大きくする、ことを特徴とする請求項２に記載の光情報記録装置。
【請求項４】
前記パルス振幅制御手段は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項３に記載の光情報記録装置。
【請求項５】
前記パルス振幅制御手段は、比率εｏを前記検出温度が３０℃であるときの前記比率εとしたときに、前記比率εＨを前記検出温度が５０℃であるときの前記比率εとすると、前記比率εＨを、εｏ＜εＨ＜１．１５εｏの範囲で大きくする、ことを特徴とする請求項４に記載の光情報記録装置。
【請求項６】
前記検出手段は、前記検出温度が前記温度Ｔｔｈより小さいときに、一定時間Δが経過する都度に前記検出を行う、ことを特徴とする請求項１〜５のいずれかの一に記載の光情報記録装置。
【請求項７】
１つ又は複数の短パルス群からなる記録パルス列を用いて相変化型の光情報記録媒体に情報を記録する光情報記録方法において、
所定位置の温度を温度センサで検出する検出工程と、
前記検出温度に応じて前記短パルス群を構成する短パルスのパルス振幅を制御するパルス振幅制御工程と、
を含んでなることを特徴とする光情報記録方法。
【請求項８】
前記パルス振幅制御工程は、室温時に最適化した短パルス群のライトパワーに対するイレースパワーの比率εを前記検出温度に応じて制御する、ことを特徴とする請求項７に記載の光情報記録方法。
【請求項９】
前記パルス振幅制御工程は、前記検出温度が前記比率εの制御を開始する予め設定されている温度Ｔｔｈより大きくなったときに、前記比率εの値を大きくする、ことを特徴とする請求項８に記載の光情報記録方法。
【請求項１０】
前記パルス振幅制御工程は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項９に記載の光情報記録方法。
【請求項１１】
前記パルス振幅制御工程は、比率εｏを前記検出温度が３０℃であるときの前記比率εとしたときに、前記比率εＨを前記検出温度が５０℃であるときの前記比率εとすると、前記比率εＨを、εｏ＜εＨ＜１．１５εｏの範囲で大きくする、ことを特徴とする請求項１０に記載の光情報記録方法。
【請求項１２】
前記検出工程は、前記検出温度が前記温度Ｔｔｈより小さいときに、一定時間Δが経過する都度に前記検出を行う、ことを特徴とする請求項７〜１１のいずれかの一に記載の光情報記録方法。
【発明の詳細な説明】
【技術分野】
【０００１】
本発明は、相変化型の光情報記録媒体に情報を記録する光情報記録装置及び光情報記録方法に関する。
【背景技術】
【０００２】
特許文献１には、有機色素記録層を有するＤＶＤ−Ｒ等の光ディスクについて、レーザの周囲温度の変化に応じて適切な記録パルス波形を選択して適用しようとする技術が開示されている。この特許文献１に開示の技術では、記録品質悪化の要因として波長の変動を挙げており、レーザ周囲温度を測定することで間接的に波長の変動を測定し、その測定結果に基づいて最適な記録パルス波形を随時選択しようとするものである。
【０００３】
【特許文献１】特開２００２−２１６３４９公報
【発明の開示】
【発明が解決しようとする課題】
【０００４】
近年、光学技術の進化にともない、音楽用ＣＤ（Compact Disk）やＣＤ−ＲＯＭ等の再生専用の光ディスク、また、色素系メディアを用いた追記型光ディスクや、相変化記録材料を用いた書換え可能なＣＤ−ＲＷ（Rewritable）などが実用化されている。また、レーザ光源としての半導体レーザの短波長化や高ＮＡ対物レンズによるスポット径の小径化や薄型基板の採用などにより、ＤＶＤ（Digital Versatile Disk）−ＲＯＭ，ＤＶＤ＋Ｒ（Recordable），ＤＶＤ＋ＲＷ（Rewritable）等の大容量光記録ディスクが注目されている。
【０００５】
何れの光ディスクの場合にも、情報を記録するうえでは、半導体レーザを光源とする光ピックアップ光学系を含む光情報記録再生装置が用いられる。例えば、相変化型メディアに情報を記録するための一般的な記録波形（発光波形）としては、ＥＦＭ（Eight to Fourteen Modulation）変調コード、８−１６変調コードなどの記録変調方式に基づいて生成した単パルスの発光波形が用いられる（単パルス記録方式）。
【０００６】
しかし、このような単パルス記録方式よる場合、蓄熱により、記録マークが涙状に歪を生じ、あるいは、冷却速度の不足によりアモルファス相の形成が不十分となり、レーザ光に対して低反射の記録マークが得られない等の問題がある。そこで、一般的に相変化型のメディアに情報を記録する際には、１つまたは複数の短パルス群からなるパルス列によってマークを形成するマルチパルス波形方式が用いられることがある。ＥＦＭ変調コードや８−１６変調コードなどの記録変調方法に基づいた発光波形に一致するマークを記録するための短パルス群を構成する各パルスのパルス幅や振幅などのパルス発光規則を記録ストラテジと呼ぶ。相変化型メディアの記録膜を融点以上に十分に予備加熱するための先頭加熱パルスＦＰ（Front Pulse）と、終端加熱パルスＬＰ（Last Pulse）、ＦＰに後続しＬＰの直前までの複数個の連続加熱パルスＭＰ（Multi Pulse）と、パルス群の終端パルスに後続する冷却パルスＣＰ（Cooling Pulse）との組合せからなっている。また、ＬＰ，ＭＰは記録を行うマーク長によりゼロとなる場合がある（例えば、３ＴマークではＬＰ，ＭＰが存在しない場合がある）。
【０００７】
このようなマルチパルス発光波形によれば、相変化型メディアのマーク部は加熱パルスＦＰ，ＭＰ，ＬＰと冷却パルスＣＰとによる“加熱→冷却”の急冷条件によりアモルファス相が形成され、スペース部はイレースパルスによる加熱のみの徐冷条件により結晶相が形成されるため、アモルファス相と結晶相とで十分な反射率差が得られることとなる。
【０００８】
そして、相変化型の光ディスクの記録特性である再生ジッタ、オーバーライト特性及びパワーマージン等は、加熱パルスＦＰ，ＭＰ，ＬＰのパルス幅、冷却パルスＣＰのパルス幅、記録パワー（発光パワー）、光ディスクの種類や線速、及び光ディスクの周囲温度等の条件に応じて変化する。
【０００９】
この点で、前述の特許文献１では、有機色素記録層を有するＤＶＤ−Ｒ等の光ディスクについて、レーザ周囲温度を測定することで間接的に波長の変動を測定し、その測定結果に基づいて最適な記録パルス波形を随時選択しようとしている。
【００１０】
しかしながら、前述のように有機色素記録層を有する光ディスクの場合には、レーザパルスによる加熱のデューティにより記録マークを形成しているが、相変化型の光ディスクの場合には、例えば、急熱急冷によるアモルファス相の形成により記録マークを形成するため、特許文献１の技術を相変化型の光ディスクに適用することは困難である。
【００１１】
また、相変化型の光ディスクでは、加熱から冷却への急熱急冷条件によりアモルファス相が形成されるが、光ディスクの周辺温度が高温になると、急熱過程では熱し過ぎ、急冷過程では冷却不足が発生して記録品質が悪化する。
【００１２】
例えば、光ディスク装置はパーソナルコンピュータの内部に取り付けられて使用されることが多いが、近年のパーソナルコンピュータの高速化や多機能化により、パーソナルコンピュータ内部の様々な装置の発熱が大きくなり、光ディスク装置が使用される環境温度は高くなる傾向にある。さらに、高密度に集積されたノート型のパーソナルコンピュータでは、十分な排熱機構がないため、内部の温度上昇がより顕著となる。したがって、パーソナルコンピュータの内部のような高温環境下において、室温で最適化された記録ストラテジを用いて記録を行うと、室温時に想定されていた記録品質が得られないという不具合がある。
【００１３】
本発明の目的は、高温環境下などにおける相変化型の光記録媒体の記録品質改善を可能とすることである。
【課題を解決するための手段】
【００１４】
本発明は、１つ又は複数の短パルス群からなる記録パルス列を用いて相変化型の光情報記録媒体に情報を記録する光情報記録装置において、所定位置の温度を温度センサで検出する検出手段と、前記検出温度に応じて前記短パルス群を構成する短パルスのパルス振幅を制御するパルス振幅制御手段と、を備えていることを特徴とする光情報記録装置である。
【００１５】
別の面から見た本発明は、１つ又は複数の短パルス群からなる記録パルス列を用いて相変化型の光情報記録媒体に情報を記録する光情報記録方法において、所定位置の温度を温度センサで検出する検出工程と、前記検出温度に応じて前記短パルス群を構成する短パルスのパルス振幅を制御するパルス振幅制御工程と、を含んでなることを特徴とする光情報記録方法である。
【発明の効果】
【００１６】
本発明によれば、短パルス群を構成する短パルスのパルス振幅を制御することで、高温環境下などでも相変化型の光記録媒体の記録品質改善が可能になる。これにより、光情報記録装置内の温度を下げる為の廃熱ファンが不要となり、光情報記録装置の設計上コスト削減、軽量化等を図ることができる。
【発明を実施するための最良の形態】
【００１７】
本発明を実施するための最良の一形態について説明する。
【００１８】
図１に示すように、本発明の光情報記録装置を実施する光ディスク装置１は、相変化型の光情報記録媒体である光ディスクＤを回転駆動するスピンドルモータ２、モータドライバ３、サーボ手段４、光ピックアップ５、リードアンプ６、デコーダ７、バッファマネージャ８、バッファＲＡＭ９、ホストＩ／Ｆ１０、ディスク情報デコーダ１１、エンコーダ１２、ＬＤドライバ１３及び制御部１４等から構成されている。また、ＬＤドライバ１３は、レジスタ１５、マルチパルス生成部１６及びパワー制御部１７等を備えている。ここで、図１において、矢印はデータが主に流れる方向を示しており、また、図を簡略化するために、図１中の各ブロックを制御する制御部１４と各ブロックとの接続は図示を省略している。
【００１９】
光ピックアップ５は、光源としてのレーザダイオード（ＬＤ）、このレーザダイオードから出射されるレーザ光を光ディスクＤの記録面に導くとともに、記録面で反射された戻り光を所定の受光位置まで導く光学系、受光位置に配置されて戻り光を受光する受光素子等の受光器、フォーカスアクチュエータ、トラックアクチュエータ、シークモータ及びポジションセンサ等（いずれも図示せず）の周知の構成を内蔵している。光学系は、光ディスクＤの記録面上にレーザ光を集光する対物レンズ（図示せず）等を有している。
【００２０】
また、光ピックアップ５には、その内部の温度を測定する温度センサ１８が設けられている。温度センサ１８としては、例えば、サーミスタが使用されており、サーミスタの抵抗値が温度により変化することでサーミスタ中を流れる電流値は変化する。この電流値の変化が制御部１４により検出される。この電流値と温度との相関関係から制御部１４により温度が求められる。なお、光ピックアップ５の内部温度は、光ディスクＤの周囲温度として扱われ、光ディスク装置１の表面温度及び光ディスクＤの表面温度とほぼ同じ温度になる（図１０を参照して後述）。したがって、本実施の形態では、光ピックアップ５の内部温度は光ディスク装置１の表面温度と等価として用いられ、光ディスク装置１の表面温度も光ディスクＤの周囲温度として扱われる。
【００２１】
このような光ピックアップ５は、シークモータによってスレッジ方向、すなわち光ディスクＤの半径方向に移動自在に設けられている。フォーカスアクチュエータ、トラックアクチュエータ、シークモータは、受光器とポジションセンサとから得られる信号に基づいて、モータドライバ３とサーボ手段４とにより、レーザ光のスポットが光ディスクＤ上の目的の場所に位置するように制御される。
【００２２】
制御部１４は、マイクロコンピュータを備え、光ディスク装置１の全体を集中的に制御する。
【００２３】
光ディスク装置１は、光ディスクＤをスピンドルモータ２により回転駆動する。このとき、スピンドルモータ２は、モータドライバ３とサーボ手段４とにより、光ディスクＤがＣＬＶ（記録線速度一定）方式やＣＡＶ（記録角速度一定）方式等で回転するように制御される。光ピックアップ５は、レーザダイオードからレーザ光を出射し、このレーザ光を対物レンズにより光ディスクＤの記録面に集光させ、サーボ手段４によりアクチュエータの制御を行うことでフォーカスサーボやトラックサーボを行い、光ディスクＤに記録されているデータを再生して再生信号を取得し、かつ、光ディスクＤにデータを記録する。
【００２４】
データ再生時には、光ピックアップ５で得られた再生信号は、リードアンプ６で増幅されて２値化された後、デコーダ７でデインターリーブ及びエラー訂正の処理が行われる。デコーダ７からのデータは、バッファマネージャ８によって、一旦、バッファＲＡＭ９に蓄積され、セクタデータとして揃ったときにホストＩ／Ｆ（ホストインターフェース）１０を介してホスト、例えばパーソナルコンピュータ等へ一括して転送される。なお、ホストＩ／Ｆ１０は、ホストとの双方向の通信インターフェースであり、ＡＴＡＰＩ及びＳＣＳＩ等の標準インターフェースに準拠している。
【００２５】
データ記録時には、ホストからホストＩ／Ｆ１０を介して送られてきたデータがバッファマネージャ８によって一旦バッファＲＡＭ９に蓄積されてからデータ記録が開始される。データ記録を開始する前に、光ディスクＤのＰＣＡ（Power Calibration Area）と呼ばれる試し書き領域で、ＯＰＣ（Optimum Power Calibration）が行われ、最適な記録パワーが求められる。また、データ記録を開始する前には、レーザスポットを書き込み開始位置に移動させる。ＤＶＤ＋ＲＷ等では、開始位置は、予め光ディスクＤ上にトラックの蛇行により刻まれているウォブル信号によって求められる。なお、ＤＶＤ−ＲＷ等では、開始位置はウォブル信号の代わりにランドプリピットによって求められ、ＤＶＤ−ＲＡＭ等では、開始位置はプリピットによって求められる。
【００２６】
ウォブル信号には、ＡＤＩＰ（ADress In Pre-groove）と呼ばれるアドレス情報が含まれており、このアドレス情報はディスク情報デコーダ１１によって取り出される。また、このディスク情報デコーダ１１によって生成される同期信号は、エンコーダ１２に入力され、光ディスクＤ上の正確な位置へのデータの書込みを可能にしている。
【００２７】
ＬＤドライバ１３では、制御部１４により記録チャネルクロックと記録情報であるＥＦＭデータとがエンコーダ１２から入力され、レジスタ１５にパルス情報として一時的に記憶される。ＬＤドライバ１３のマルチパルス生成部１６により、レジスタ１５に記憶されているパルス情報からマルチパルス（記録パルス列）が生成される。パワー制御部１７ではレジスタ１５に記憶されているパワー情報を用いて光ピックアップ５より照射されるレーザ光の照射パワーの制御を行うことで記録パルス列に基づくＬＤ発光波形が生成される。
【００２８】
次に、本実施の形態で使用される光ディスクＤの一例について、図２を参照して説明する。図２は本実施の形態の光ディスクＤの層構造を概略的に示す縦断側面図である。
【００２９】
図２に示すように、光ディスクＤは、透明基板２０の上に下部保護層２１、記録層２２、上部保護層２３、放熱層２４、及びＵＶ保護膜２５が積層されて構成されている。
【００３０】
透明基板２０は、例えば、屈折率１．５８のポリカーボネート樹脂により形成されており、下部保護層２１は、例えば、ＺｎＳ又はＳｉＯ２を材料として膜厚１７ｎｍに形成されており、記録層２２は、例えば、Ａｇ（２）Ｉｎ（１０）Ｓｂ（２８）Ｔｅ（６０）を材料として膜厚２０ｎｍに形成されている。また、上部保護層２３は、例えば、屈折率２．１のＺｎＳ又はＳｉＯ２を材料として膜厚２５ｎｍに形成されており、放熱層２４は、例えば、Ａｌ合金（Ａｌ−Ｔｉ：１ｗｔ％合金）を材料として膜厚１００ｎｍに形成されており、ＵＶ保護膜２５は、最上層に例えばＵＶ硬化型樹脂により形成されている。
【００３１】
本実施の形態では、光ディスクＤとして、例えばＤＶＤ＋ＲＷが用いられており、記録速度は２．４Ｘとされているが、これに限るものではなく、例えば、ＣＤ−ＲＷ、ＤＶＤ−ＲＷやＤＶＤ−ＲＡＭ等が用いられても良い。
【００３２】
なお、相変化型の光ディスクＤにおいては、一般に、書き換え回数（ＤＯＷ：Direct Over Write）、加熱パルスのパルス幅、冷却パルスのパルス幅、記録パワー、光ディスクＤの種類や線速、及び光ディスクＤの周囲温度等により記録品質が変化する。ここでは、記録品質の良し悪しを表す指標としては、信号のばらつきであるjitter値を用いる。一般的にjitter値が９％を下回れば記録品質は良好であると判断される。
【００３３】
ところで、光ディスク装置はパーソナルコンピュータに取り付けて使用することが多いが、近年パーソナルコンピュータの高速化、多機能化によりパーソナルコンピュータ内部の装置による発熱が大きくなり、光ディスク装置を使用する環境温度が高くなる傾向がある。さらに高密度に集積されたノート型パーソナルコンピュータでは十分な廃熱機構がないために内部の温度上昇がより顕著となる場合が想定される。したがって、例えば、ノート型パーソナルコンピュータ内部のような高温環境下において室温時に最適化した記録ストラテジを用いて記録を行うと、室温時に想定していた記録品質が得られない可能性がある。
【００３４】
本実施の形態では、光ディスクＤとして、例えば、代表的な相変化型の光記録媒体であるＤＶＤ＋ＲＷを用い、記録速度は２．４Ｘとした。無論、本発明は、相変化型記録材料を用いた記録媒体、すなわち、ＣＤ−ＲＷ、ＤＶＤ−ＲＷ、ＤＶＤ−ＲＡＭ、その他のすべてにおいて適用できる。まずＤＶＤ＋ＲＷを用いて、室温時に最適化を行った記録ストラテジを用いて、光ディスク装置１の表面での温度が室温（本例では、便宜上室温を３０℃とする）、４０℃、５０℃において記録データの書き換えを行ったとき記録品質がどのように変化するのか調べた結果を図３に示す。なお本例においては、実験に使用した光ディスク装置１の動作限界により５０℃以上の測定は行っていないが、無論５０℃以上の温度の場合においても本発明を用いることができる。なお、これ以降示す温度はすべて光ディスク装置１の表面での温度とする。図３では、“ＤＯＷ＝３０”（ＤＯＷ３０）でライトパワーを変化させながら記録を行い、ｘ軸右方向がライトパワーが高くなる方向である。図３より３０℃の場合にJitterボトム値が最小となり、４０℃、５０℃と温度が上昇するに従ってJitterボトムが大きくなり、３０℃の場合に約８．５％であるJitterボトム値が５０℃の場合には約９％となる。また、温度が高くなるにつれてJitterがボトムとなるのに必要なライトパワーが高くなる。これは、相変化光記録メディアの温度が高くなることで急熱後の急冷過程で十分冷却できない事に起因すると思われ、ライトパワーを高くして急熱過程でより高い温度に急熱しておくことで急冷過程により十分な冷却が行えるのでアモルファス相を形成しやすいことを示している。この結果より高温環境下における記録品質を改善することでノート型パーソナルコンピュータ等のような内部が高温になる装置内でも問題なく使用することが出来るようになることがわかる。
【００３５】
そこで、本実施の形態では、まずデータ変調方式としてＥＦＭ変調コードを用いてマークエッジ記録を行う例を示し、形成されるマークとスペースとのデータ長は３〜１４Ｔ（Ｔはチャネルクロックの１周期）とされている。ここでの記録ストラテジでは、各マークに対するパルス数が“Ｎ−２”（Ｎは１以上の整数によるデータ長）とされている。図４にデータ長が５Ｔの場合の短パルス群の例を示す。相変化型のメディアの記録膜を融点以上に十分に予備加熱するための先頭加熱パルスＦＰ（Front Pulse）と、終端加熱パルスＬＰ（Last Pulse）、ＦＰに後続しＬＰの直前までの複数個の連続加熱パルスＭＰ（Multi Pulse）と、パルス群の終端パルスに後続する冷却パルスＣＰ（Cooling Pulse）との組合せからなっている。マーク長によってはＦＰ，ＭＰ，ＬＰ，ＣＰの各パルスのいずれかのパルスが存在しない場合があり、またそれぞれＦＰ，ＭＰ，ＬＰ，ＣＰの各パルスのパルス幅が０になる場合もある。これらのＦＰ−ＭＰ−ＬＰ−ＣＰのひとかたまりを短パルス群と呼び、この短パルス群中のＦＰ，ＭＰ，ＬＰ，ＣＰの組み合わせにより３Ｔから１４Ｔの長さのマーク1つを記録する。そして、光ディスク装置１では短パルス群が連続したパルス列により連続的に記録を行う。
【００３６】
また、ライトパワーより低い、徐熱徐冷により非アモルファス化により記録してあるマークを消去する際のパワーをイレースパワーＰｅと呼び、ライトパワーＰｗとＰｅの比率すなわち記録時のパルスの振幅と消去時のパルスの振幅の比率をεとする。一般的にεの値は記録品質やＤＯＷ耐性に大きく影響する。
【００３７】
そこで、本実施の形態では、このεを相変化型の光情報記録媒体である光ディスクＤの周囲温度に基づいて制御して、記録品質の向上を図る。すなわち、例えば、εの値を室温（３０℃）時に記録品質が最良となるように最適化を行い、光ディスク装置１の表面の温度上昇にともなってεを最適化すると高温環境下での記録品質向上に寄与するか否かを調べた。εは経験的に記録品質やＤＯＷ耐性への影響が大きいために、変化量として本例では室温時と比較して高温時に３％高くした例について説明する。
【００３８】
一般的に記録品質を判断する際に重要とされているのがＤＯＷ１とＤＯＷを繰り返した場合である。ＤＯＷ１は、相変化型の光ディスクを工場で生産する際に記録材料の結晶化を行なうためにイレースパワーで書き込みを行なう。これにより記録媒質が均一となっている際に記録を行なうＤＯＷ０については記録品質が良好であるが、一度、光ディスク装置により書き込みを行なった相変化型の光ディスクでは、工場で書き込みを行なった部分と、光ディスク装置によって書き込みを行なった部分が混在することになる。そして、工場と光ディスク装置では記録条件が異なっているため、そのような状態の光ディスクにさらに書き込みを行なうＤＯＷ１では記録品質が悪化する。よって、今回はＤＯＷ１およびＤＯＷ３０に着目した。
【００３９】
記録品質の良し悪しをあらわすパラメータとして本発明ではjitter値を用いる。Jitter値が低いほど記録品質は良く、一般的には前述のようにjitter値が９％を下回れば十分記録品質が良いとされる。また、光ディスク装置は、装置本体中の素子のばらつきや、使用する相変化型の光ディスクのばらつきなどの多くの要因により、記録パワーがばらつくことがあるために、jitterが９％を下回るＰｗ範囲が広い、すなわち、パワーマージンが広い方が記録品質は良いと言える。
【００４０】
５０℃で、イレースパワーを室温時に最適な“ε＝４９％”にした場合と、イレースパワーを“ε＝５２％”にした場合の比較を、図５、図６に示す。それぞれ、図５はＤＯＷ１の場合、図６はＤＯＷ３０の場合のライトパワーＰｗに対するjitterの関係を表す。図５、図６のいずれも、“ε＝４９％”より“ε＝５２％”の場合の方が、明らかにjitterボトム値が低く、すなわち記録品質が良くなっていることがわかる。
【００４１】
また、図７に図５の場合の、図８に図６の場合のライトパワーＰｗに対するＩ１４／Ｉ１４Ｈ（modulation:再生信号波形のピークレベルに対する再生信号波形の振幅の大きさ）の関係を示す。Ｉ１４／Ｉ１４Ｈの値が大きいほうが、再生信号振幅が大きくなり、再生を行う光ディスク装置の信号増幅器での信号の増幅が小さくて済むので、信号増幅にともなうノイズ成分の印加が軽減されるため、記録品質が高いといえる。
【００４２】
本例で、所定の温度、このれいでは室温３０℃であるときのεをεｏ（前述のとおり、εｏ＝４９％）とすると、検出温度が所定の温度Ｔｔｈ（例えば４０℃）以上、この例では５０℃であるときのεをεＨとすると、前述のように“εＨ＝５２％”であるので、“εＨ≒１．０６εｏ”であるが、光ディスクＤの特性等により最適なεＨは変化するため、“εｏ＜εＨ＜１．１５εｏ”とするのが望ましい。以上の点からεを高温時に大きくすることは記録品質の観点から見て明らかに記録品質向上の効果があることがわかる。
【００４３】
次に、以上の諸点を踏まえて、光ディスク装置１が実行する処理の内容を、図９のフローチャートを参照して説明する。まず、制御部１４（のＣＰＵ）は、相変化型の光ディスクＤに記録を行おうとする場合は、光ディスクＤ上に記録してある前述のＡＤＩＰのメディア情報をリードする（ステップＳ１）。次に、読み込んだＡＤＩＰ情報に基づき、ライトを行おうとする相変化型の光ディスクＤのメディア判別、すなわち、製造ベンダー、ディスクタイプ、ディスクリビジョン等の判別をする（ステップＳ２）。次に、光ディスク装置１の表面での温度を温度センサ１８で測定する（測定手段、測定工程）（ステップＳ３）。そして、この測定温度Ｔに基づいて後述のようにイレースパワーを制御する（すなわちεをεＨとする）。
【００４４】
すなわち、測定温度Ｔが予め設定されている温度Ｔｔｈ（この例で４０℃）以上か、又は未満かを判定し（ステップＳ４）、Ｔ≧Ｔｔｈであるならば（ステップＳ４のＹ）、レジスタ１５に高温用記録ストラテジ、すなわち、室温時のε（すなわちεｏ）より大きいεＨを設定する（パルス振幅制御手段、パルス振幅制御工程）（ステップＳ５）。
【００４５】
一方、Ｔ＜Ｔｔｈの場合は（ステップＳ４のＮ）、レジスタ１５に室温用のストラテジ、すなわちεｏを設定する（ステップＳ６）。その後、レジスタ１５に設定してあるストラテジにより、マルチパルス生成部１６およびパワー制御部１７により発光波形が形成され、光ディスクＤに対して情報のライトを開始する（ステップＳ７）。このライトが開始した後も、ライトに伴う光ピックアップ部やＬＳＩ等による発熱のため温度が上昇する可能性があるので、最初に温度測定を行った時より一定時間Δ（例えば１分）が経過する度に（ステップＳ８のＹ）再度温度測定を行い（ステップＳ３）、前述の処理を繰り返す。記録すべきすべての情報をライトすれば（ステップＳ９のＹ）、ライトは終了する（ステップＳ１０）。
【００４６】
なお、本例では、便宜上、光ピックアップ５の内部温度は光ディスク装置１の表面温度と等価としている。図１０には、光ディスク装置１が５台について、周囲雰囲気中、ドライブ底面、ディスク表面、ドライブ表面での各測定温度（℃）と、光ピックアップ５中の温度センサ１８（サーミスタ）による測定温度との関係を示した。図１０に明らかなように、光ディスクＤの表面温度（ディスク表面）、光ディスク装置１の表面温度（ドライブ表面）、および温度センサ１８の測定温度（サーミスタ）は何れも約３℃程度以内の差であるので、本例では前述のように便宜上等価として扱えることとした。したがって、上記例においては、光ディスク装置１の表面での温度に基づいてパルス幅の制御を行う例を示したが、直接サーミスタにより測定した温度を用いることはもちろん、光ディスク装置１周囲雰囲気中の温度（周囲雰囲気中）と光ディスク装置１の表面温度（ドライブ表面）との相関関係を求めて、光ディスク装置１の周囲雰囲気中の温度（周囲雰囲気中）によりパルス幅を制御することも十分可能である。
【図面の簡単な説明】
【００４７】
【図１】本発明の実施の一形態の光ディスク装置の構成を概略的に示すブロック図である。
【図２】光ディスクの層構造を概略的に示す縦断側面図である。
【図３】３０℃、４０℃及び５０℃の各温度におけるライトパワーとjitterとの関係を示すグラフである。
【図４】データ長が５Ｔである場合の短パルス群の一例を概略的に示す模式図である。
【図５】ＤＯＷ１の場合のライトパワーＰｗに対するjitterの関係を表すグラフである。
【図６】ＤＯＷ３０の場合のライトパワーＰｗに対するjitterの関係を表すグラフである。
【図７】図５の場合のライトパワーＰｗに対するＩ１４／Ｉ１４Ｈの関係を示すグラフである。
【図８】図６の場合のライトパワーＰｗに対するＩ１４／Ｉ１４Ｈの関係を示すグラフである。
【図９】光ディスク装置が実行する処理のフローチャートである。
【図１０】光ディスク装置の各部における温度測定結果を示す説明図である。
【符号の説明】
【００４８】
１  光情報記録装置
１８  温度センサ
Ｄ  光情報記録媒体
【図１】
2005182847.tif 000003
【図２】
2005182847.tif 000004
【図３】
2005182847.tif 000005
【図４】
2005182847.tif 000006
【図５】
2005182847.tif 000007
【図６】
2005182847.tif 000008
【図７】
2005182847.tif 000009
【図８】
2005182847.tif 000010
【図９】
2005182847.tif 000011
【図１０】
2005182847.tif 000012
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
１つ又は複数の短パルス群からなる記録パルス列を用いて相変化型の光情報記録媒体に情報を記録する光情報記録装置において、
前記記録装置の所定位置の温度を温度センサで検出する検出手段と、
前記検出温度に応じて前記短パルス群を構成する短パルスのパルス振幅を制御するパルス振幅制御手段とを備え、
前記パルス振幅制御手段は、室温時に最適化した短パルス群のライトパワーに対するイレースパワーの比率εを前記検出温度に応じてイレースパワーを制御する、ことを特徴とする光情報記録装置。
【請求項２】
前記パルス振幅制御手段は、前記検出温度が前記比率εの制御を開始する予め設定されている温度Ｔｔｈより大きくなったときに、前記比率εの値を大きくする、ことを特徴とする請求項１に記載の光情報記録装置。
【請求項３】
前記パルス振幅制御手段は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項２に記載の光情報記録装置。
【請求項４】
前記検出手段は、前記検出温度が前記温度Ｔｔｈより小さいときに、一定時間Δが経過する都度に前記検出を行う、ことを特徴とする請求項１〜３のいずれかの一に記載の光情報記録装置。
【請求項５】
１つ又は複数の短パルス群からなる記録パルス列を用いて相変化型の光情報記録媒体に情報を記録する光情報記録方法において、
所定位置の温度を温度センサで検出する検出工程と、
室温時に最適化した短パルス群のライトパワーに対するイレースパワーの比率εを前記検出温度に応じてイレースパワーを制御するパルス振幅制御工程と、
を含んでなることを特徴とする光情報記録方法。
【請求項６】
前記パルス振幅制御工程は、前記検出温度が前記比率εの制御を開始する予め設定されている温度Ｔｔｈより大きくなったときに、前記比率εの値を大きくする、ことを特徴とする請求項５に記載の光情報記録方法。
【請求項７】
前記パルス振幅制御工程は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項６に記載の光情報記録方法。
【請求項８】
前記検出工程は、前記検出温度が前記温度Ｔｔｈより小さいときに、一定時間Δが経過する都度に前記検出を行う、ことを特徴とする請求項５〜７のいずれかの一に記載の光情報記録方法。
【手続補正２】
【補正対象書類名】明細書
【補正対象項目名】００１４
【補正方法】変更
【補正の内容】
【００１４】
本発明は、１つ又は複数の短パルス群からなる記録パルス列を用いて相変化型の光情報記録媒体に情報を記録する光情報記録装置において、前記記録装置の所定位置の温度を温度センサで検出する検出手段と、前記検出温度に応じて前記短パルス群を構成する短パルスのパルス振幅を制御するパルス振幅制御手段とを備え、前記パルス振幅制御手段は、室温時に最適化した短パルス群のライトパワーに対するイレースパワーの比率εを前記検出温度に応じてイレースパワーを制御する、ことを特徴とする光情報記録装置である。
【手続補正３】
【補正対象書類名】明細書
【補正対象項目名】００１５
【補正方法】変更
【補正の内容】
【００１５】
別の面から見た本発明は、１つ又は複数の短パルス群からなる記録パルス列を用いて相変化型の光情報記録媒体に情報を記録する光情報記録方法において、所定位置の温度を温度センサで検出する検出工程と、室温時に最適化した短パルス群のライトパワーに対するイレースパワーの比率εを前記検出温度に応じてイレースパワーを制御するパルス振幅制御工程と、を含んでなることを特徴とする光情報記録方法である。
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
１つ又は複数の短パルス群からなる記録パルス列を用いて相変化型の光情報記録媒体に情報を記録する光情報記録装置において、
前記記録装置の所定位置の温度を温度センサで検出する検出手段と、
前記検出温度に応じて前記短パルス群を構成する短パルスのパルス振幅を制御するパルス振幅制御手段とを備え、
前記パルス振幅制御手段は、室温時に最適化した短パルス群のライトパワーに対するイレースパワーの比率εを前記検出温度が前記比率εの制御を開始する予め設定されている温度Ｔｔｈより大きくなったときに、イレースパワーを大きくすることにより前記比率εを大きくする、ことを特徴とする光情報記録装置。
【請求項２】
前記パルス振幅制御手段は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項１に記載の光情報記録装置。
【請求項３】
前記検出手段は、前記検出温度が前記温度Ｔｔｈより小さいときに、一定時間Δが経過する都度に前記検出を行う、ことを特徴とする請求項１または２のいずれかの一に記載の光情報記録装置。
【請求項４】
１つ又は複数の短パルス群からなる記録パルス列を用いて相変化型の光情報記録媒体に情報を記録する光情報記録方法において、
所定位置の温度を温度センサで検出する検出工程と、
室温時に最適化した短パルス群のライトパワーに対するイレースパワーの比率εを前記検出温度に応じてイレースパワーを制御するパルス振幅制御工程とを有し、
前記パルス振幅制御工程は、前記検出温度が前記比率εの制御を開始する予め設定されている温度Ｔｔｈより大きくなったときに、イレースパワーを大きくすることにより前記比率εの値を大きくする、ことを特徴とする光情報記録方法。
【請求項５】
前記パルス振幅制御工程は、前記検出温度が温度Ｔｔｈより低い所定の温度であるときの前記比率εを比率εｏとするときに、前記検出温度が温度Ｔｔｈより高いときの前記比率εをεＨとすると、前記比率εＨを前記比率εｏより大きくする、ことを特徴とする請求項４に記載の光情報記録方法。
【請求項６】
前記検出工程は、前記検出温度が前記温度Ｔｔｈより小さいときに、一定時間Δが経過する都度に前記検出を行う、ことを特徴とする請求項４または５のいずれかの一に記載の光情報記録方法。
【手続補正２】
【補正対象書類名】明細書
【補正対象項目名】００１４
【補正方法】変更
【補正の内容】
【００１４】
本発明は、１つ又は複数の短パルス群からなる記録パルス列を用いて相変化型の光情報記録媒体に情報を記録する光情報記録装置において、前記記録装置の所定位置の温度を温度センサで検出する検出手段と、前記検出温度に応じて前記短パルス群を構成する短パルスのパルス振幅を制御するパルス振幅制御手段とを備え、前記パルス振幅制御手段は、室温時に最適化した短パルス群のライトパワーに対するイレースパワーの比率εを前記検出温度が前記比率εの制御を開始する予め設定されている温度Ｔｔｈより大きくなったときに、イレースパワーを大きくすることにより前記比率εを大きくする、ことを特徴とする光情報記録装置である。
【手続補正３】
【補正対象書類名】明細書
【補正対象項目名】００１５
【補正方法】変更
【補正の内容】
【００１５】
別の面から見た本発明は、１つ又は複数の短パルス群からなる記録パルス列を用いて相変化型の光情報記録媒体に情報を記録する光情報記録方法において、所定位置の温度を温度センサで検出する検出工程と、室温時に最適化した短パルス群のライトパワーに対するイレースパワーの比率εを前記検出温度に応じてイレースパワーを制御するパルス振幅制御工程とを有し、前記パルス振幅制御工程は、前記検出温度が前記比率εの制御を開始する予め設定されている温度Ｔｔｈより大きくなったときに、イレースパワーを大きくすることにより前記比率εの値を大きくする、ことを特徴とする光情報記録方法である。